(57)【要約】  本発明は特に作業車両用の棚システムに関する。前面、後面、底面、頂面及び２つの側壁を有する少なくとも１つのコンテナを備え、かつ、そのコンテナが後方の後退位置から前方の伸長位置への引き出し方向（Ａ）に、それに沿って移動可能な少なくとも１つのガイド要素を備える。ここで、少なくとも１つの後方ストップと少なくとも１つの前方ストップがコンテナに設けられて、少なくとも１つのガイド要素に設けられたデッドストップと相互作用して、コンテナが所定の後方位置に留まり、引き出し方向に動かされる場合には所定の前方位置に留まるようになっており、また、ガイド要素に設けられたガイド条片に係合するための少なくとも１つの凹部が、コンテナの少なくとも１つの側壁に設けられる。少なくとも１つの前方ストップと少なくとも１つの後方ストップは関連する凹部より下に配置される。本発明は棚システムのコンテナにも関する。
2021523759.tif 000002
【特許請求の範囲】
【請求項１】
作業車両のための棚システムであって、特に、
前面（１２）、後面（１４）、底面（１６）、頂面（１８）及び２つの側壁（２０）を有する、少なくとも１つのコンテナ（１０）を備え、かつ
前記コンテナ（１０）が後方の後退位置から前方の伸長位置への引き出し方向（Ａ）に、それに沿って移動可能な、少なくとも１つのガイド要素（２２）を備え、
少なくとも１つの後方ストップ（２６）と少なくとも１つの前方ストップ（２４）が前記コンテナ（１０）に設けられて、前記少なくとも１つのガイド要素（２２）に設けられたデッドストップ（３６）と相互作用して、前記コンテナ（１０）が所定の後方位置に留まり、かつ前記引き出し方向（Ａ）に動かす場合には所定の前方位置に留まるようになっており、
且つ前記ガイド要素（２２）に設けられたガイド条片（３０）に係合するための凹部（２８）が前記コンテナ（１０）の少なくとも１つの側壁（２０）に設けられた、棚システムであって、
前記少なくとも１つの前方ストップ（２４）と前記少なくとも１つの後方ストップ（２６）は前記関連する凹部（２８）より下に配置されることを特徴とする、棚システム。
【請求項２】
前記少なくとも１つの後方ストップ（２６）は、前記コンテナ（１０）を動かすときに前記ガイド要素（２２）のガイドレール（３４）上を摺動する摺動面（５６）をその底面に有することを特徴とする、請求項１に記載の棚システム。
【請求項３】
前記ガイドレール（３４）は、少なくとも１つのガイド要素（２２）のガイド条片（３０）より下に配置されることを特徴とする、請求項２に記載の棚システム。
【請求項４】
少なくとも１つのガイド要素（２２）は、前記ガイドレール（３４）と前記ガイド条片（３０）が配置される側面（３２）を有することを特徴とする、請求項２又は請求項３に記載の棚システム。
【請求項５】
前記ガイド条片（３０）は前記ガイドレール（３４）に対して後方へ片寄るように配置されることを特徴とする、請求項２、請求項３又は請求項４に記載の棚システム。
【請求項６】
前記少なくとも１つの凹部（２８）は帯状部（４２）によって底面を区切られることを特徴とする、請求項１〜請求項５のいずれか一項に記載の棚システム。
【請求項７】
前記後方ストップ（２６）は、前記関連の帯状部（４２）に下方向に突出するようにして配置されることを特徴とする、請求項６に記載の棚システム。
【請求項８】
前記関連帯状部（４２）の底面（４４）は、前記コンテナ（１０）の前記底面（１６）にあるベース面（４６）から上方に後退するように配置されることを特徴とする、請求項６又は請求項７に記載の棚システム。
【請求項９】
前記関連する後方ストップ（２６）の前記摺動面（５６）は、前記ベース面（４６）内にあることを特徴とする、請求項８に記載の棚システム。
【請求項１０】
前記所定の後方位置において前記コンテナ（１０）の前記前面（１２）を持ち上げて前記前方ストップ（２４）を前記デッドストップ（３６）より上に持ち上げることができる程度にまで、前記ガイド条片（３０）は、前記帯状部（４２）の前記頂面から離間するか、後方へ後退するかの少なくともいずれかであることを特徴とする、請求項６〜請求項９のいずれか一項に記載の棚システム。
【請求項１１】
前記所定の前方位置において前記コンテナ（１０）の前記前面（１２）を持ち上げて前記後方ストップ（２６）を前記デッドストップ（３６）より上に持ち上げることができる程度にまで、前記ガイド条片（３０）は、前記帯状部（４２）の前記頂面から離間するか、後方へ後退するかの少なくともいずれかであることを特徴とする、請求項６〜請求項１０のいずれか一項に記載の棚システム。
【請求項１２】
前記ガイド要素（２２）の前記ガイド条片（４２）の前記底面（４４）を支持するようにして当接するための当接部（５８）が、少なくとも１つの側壁（２０）の前記後面（１４）に面する領域に設けられることを特徴とする、請求項１〜請求項１１のいずれか一項に記載の棚システム。
【請求項１３】
前記当接部（５８）は、前記帯状部（４２）の延長として設けられ、かつ前記帯状部（４２）の前記頂面より上の高さになっていることを特徴とする、請求項１２に記載の棚システム。
【請求項１４】
前記少なくとも１つのガイド要素（２２）の前記デッドストップ（３６）は、前記ガイドレール（３４）から前記引き出し方向に距離を置いて配置されることを特徴とする、請求項１〜請求項１３のいずれか一項に記載の棚システム。
【請求項１５】
前記デッドストップ（３６）はその頂面に摺動面（５４）を有し、前記コンテナ（１０）が前記引き出し方向（Ａ）に動かされるとき、前記帯状部（４２）の前記底面がそれに沿って摺動することを特徴とする、請求項６〜請求項１４のいずれか一項に記載の棚システム。
【請求項１６】
前記コンテナ（１０）は、前記デッドストップ（３６）の前記頂面と相補的であって、前記所定の後方位置において前記デッドストップ（３６）がそこに係合する受け部（４８）を有することを特徴とする、請求項１〜請求項１５のいずれか一項に記載の棚システム。
【請求項１７】
前記受け部（４８）は前記前方ストップ（２４）によって後方が区切られることを特徴とする、請求項１６に記載の棚システム。
【請求項１８】
請求項１〜請求項１７のいずれか一項に記載の棚システムのコンテナ（１０）であって、
前記コンテナは、前面（１２）、後面（１４）、底面（１６）、頂面（１８）及び２つの側壁（２０）を有し、
少なくとも１つの後方ストップ（２６）と少なくとも１つの前方ストップ（２４）が前記コンテナ（１０）に設けられて、前記棚システムのガイド要素（２２）に設けられた少なくとも１つの前記デッドストップ（３６）と相互作用して、前記コンテナ（１０）が所定の後方位置に留まり、前記引き出し方向（Ａ）に動く場合には所定の前方位置に留まるようになっており、且つ
前記ガイド要素（２２）に設けられたガイド条片（３０）に係合するための凹部（２８）が前記コンテナ（１０）の少なくとも１つの側壁（２０）に設けられており、
前記少なくとも１つの前方ストップ（２４）と前記少なくとも１つの後方ストップ（２６）は前記関連する凹部（２８）より下に配置されることを特徴とする、コンテナ（１０）。
【請求項１９】
前記少なくとも１つの後方ストップ（２６）は、前記コンテナ（１０）が動かされるとき、前記ガイド要素（２２）のガイドレール（３４）上を摺動する摺動面（５６）をその底面に有することを特徴とする、請求項１８に記載のコンテナ（１０）。
【請求項２０】
前記少なくとも１つの凹部（２８）は帯状部（４２）によって底面を区切られることを特徴とする、請求項１８又は請求項１９に記載のコンテナ（１０）。
【請求項２１】
前記関連する帯状部（４２）の前記底面（４４）が前記コンテナ（１０）の前記底面（１６）にあるベース面（４６）から上方に後退するように配置されるか、前記関連する後方ストップ（２６）の前記摺動面（５６）が前記ベース面（４６）内にあるか、の少なくともいずれかであることを特徴とする、請求項２０に記載のコンテナ（１０）。
【請求項２２】
前記ガイド要素（２２）の前記ガイド条片（４２）の前記底面（４４）を支持するようにして当接するための当接部（５８）が、少なくとも１つの側壁（２０）の前記後面（１４）に面する領域に設けられることを特徴とする、請求項１８〜請求項２１のいずれか一項に記載のコンテナ（１０）。
【請求項２３】
前記当接部（５８）は、前記帯状部（４２）の延長として設けられ、かつ前記帯状部（４２）の前記頂面より上の高さになっていることを特徴とする、請求項２２に記載のコンテナ（１０）。
【発明の詳細な説明】
【技術分野】
【０００１】
本発明は、前面、後面、底面、頂面及び２つの側壁を有する少なくとも１つのコンテナを備え、かつ、そのコンテナを後方の後退位置から前方の伸長位置への引き出し方向に沿って移動可能な少なくとも１つのガイド要素を備える、特に作業車両のための棚システムに関する。少なくとも１つの後方ストップと少なくとも１つの前方ストップがコンテナに設けられ、このストップが少なくとも１つのガイド要素に設けられたデッドストップと相互作用して、コンテナが所定の後方位置に留まり、引き出し方向に動かされる場合には所定の前方位置に留まるようになっている。コンテナの少なくとも１つの側壁には、ガイド要素に設けられたガイド条片（Fuehrungssteg）に係合するための少なくとも１つの凹部がある。本発明はそのような棚システムのためのコンテナにも関する。
【０００２】
コンテナとして、箱、ケース、木枠、容器、又は物体を保持するためのその他の手段が使用可能である。
【背景技術】
【０００３】
関連するコンテナを有するそのような棚システムは、例えば特許文献１から既知である。前方ストップと後方ストップを設けることにより、コンテナは特に２つの位置、すなわち固定された後方位置と所定の前方位置に留まることが可能である。こうして車両の棚システムに配置されるコンテナは、例えば車両が角を曲がる時に前方位置へ勝手に移動することも、棚システムの前方位置から落下することも防止できる。コンテナは、特に道具や機械の保管に使用可能である。コンテナは、道具や機械を含んだ状態で、簡単に車両に挿入したり、車両から取り外したりできなければならない。
【０００４】
既知の棚システムにおいては、側壁の凹部内に前方及び後方のストップが設けられ、そこでガイド要素に設けられたガイド条片が係合する。ストップの底面とコンテナの底面に設けられた摺動レールとの間には距離があり、この距離は、ガイド要素のその個所に設けられた係止ラグの形のデッドストップの高さよりも大きい。結果として、係止ラグは凹部の内部の固定ストップと摺動レールの間に案内可能である。さらに、この従来技術によれば、コンテナは、移動する際にガイド要素が固定されている底面上を摺動する。
【０００５】
作業車両に取り付けるには不向きではあるが、他の棚システムが例えば特許出願２又は特許文献３から既知である。
【先行技術文献】
【特許文献】
【０００６】
【特許文献１】独国特許出願公開第１０２００４００５３６２（Ａ１）号明細書
【特許文献２】欧州特許出願公開第００５７２９７１（Ａ２）号明細書
【特許文献３】特開平９−１００４８号明細書
【発明の概要】
【発明が解決しようとする課題】
【０００７】
本発明によって対処される問題は、従来技術の欠点を改善し、特に移動する際にコンテナが摺動する底面を必要としない、棚システムを提供することである。
【課題を解決するための手段】
【０００８】
この目的は、請求項１の特徴を有する棚システムによって解決される。具体的には、少なくとも１つの前方ストップと少なくとも１つの後方ストップが関連する凹部の下に配置される。これにより、コンテナの側壁に設けられた少なくとも１つの凹部をストップから空間的に離間させることができる。コンテナは好ましくは、前方位置で持ち上げることにより、棚システムから取り外し、あるいは少なくとも１つのガイド要素から取り外すことができる。
【０００９】
したがって、ストップは、独国特許出願公開第１０２００４００５３６２（Ａ１）号明細書による従来技術のように凹部の中にはなくて、その下、好ましくはコンテナの底面に自由にアクセス可能となるように配置される。ストップは好ましくは、下方向に延伸して、適切な形でデッドストップと相互作用可能なようになっている。関連する側壁に設けられる凹部は好ましくは、後方に向かって、すなわち引き出し方向とは逆方向に開放されており、関連する凹部と相互作用するガイド条片を、コンテナの挿入時に関連する凹部の中に導入可能である。
【００１０】
２つのガイド要素は好ましくはコンテナの側面に設けられる。ガイド要素は有利には、コンテナがガイド要素上を好ましくは摺動して移動可能なように、所定位置に固定される。コンテナを所定の後方位置から前方位置に移動させるために、コンテナの前面を持ち上げて、前方ストップがデッドストップより上に上がるようにする必要がある。前方位置においては、後方ストップがデッドストップに当たり、コンテナを所定の前方位置に留まるようにさせる。更なるステップにおいて、コンテナを棚システムから取り外すために、後方ストップを持ち上げてデッドストップと係合しないようにすることができる。移動方向を横切る軸のまわりにコンテナを適切に回動させて、具体的にはコンテナを前面で再度持ち上げることにより、後方ストップの持ち上げが可能である。
【００１１】
コンテナの安全かつ所定の移動を可能とするために、少なくとも後方ストップがその底面に摺動面を有して、コンテナを動かすときにそれがガイド要素のガイドレール上を摺動すれば有利である。摺動面とガイドレールの材料の組合せは、対応して摩擦係数が低くなるようなものであってよい。２つのガイドレールと２つの後方ストップが、コンテナの底面のその側壁の領域に設けられる場合、コンテナの重量は結果的に後方ストップを介してガイド要素から棚システムへ伝えられる。
【００１２】
ガイド要素に関しては、ガイドレールがガイド条片の下に設けられれば有利である。ガイド条片は側面の凹部に係合する。後方ストップの摺動面はガイドレール上にある。
【００１３】
また、ガイド要素に側面（Wange）があって、そこにガイドレールとガイド条片が配置されていれば有利である。側面は特に垂直に延在するように配置可能である。その場合ガイドレールとガイド条片が水平方向に延在する。側面は、具体的には適切な固定手段によって、フレーム又は壁に配置することができる。
【００１４】
コンテナのガイドレールへの挿入を容易にするために、ガイド条片をガイドレールに対して後方に片寄るように配置すれば有利である。結果的に、コンテナが棚システムに挿入されると、コンテナの後面がガイドレール上に配置された後、後方に動かされてガイド条片がコンテナの凹部に係合するようになる。
【００１５】
さらに、後方に開放されている凹部がその底面を、コンテナの関連する側壁上の帯状部（Stegabschnitt）によって区切られていれば、それも有利である。帯状部は好ましくは、引き出し方向に延在し、好ましくは、コンテナが挿入されると引き出し方向又はガイド条片又はガイドレールに平行に延在する。
【００１６】
また、特に後方ストップが下側に突出するようにして帯状部に配置されていれば有利である。これにより安価で小型の設計となる。
【００１７】
コンテナを配置するか重ねるときに、ストップ及び／又は帯状部への損傷を回避するために、関連する帯状部の底面が、コンテナの底面にあるベース面より上方向に後退して配置されていれば有利である。その結果、例えばコンテナがアスファルト又はその他の粗面上に配置された場合に、帯状部は確実に保護される。
【００１８】
これに関して、特に関連する後方ストップの摺動面、及び／又は関連する前方ストップの底面がベース面内にあるか、それを超えて突出しなければ、それも有利である。その結果、特にコンテナが粗面上にある場合に、ストップを保護することができる。
【００１９】
コンテナを後方位置から前方位置へスムーズに移動可能とするために、ガイド条片がある程度だけ帯状部の頂面から離間するか、且つ／又は後方へ片寄っていて、所定の後方位置において、前方ストップがデッドストップの上になるまでコンテナの前面を持ち上げることができれば有利である。そうしてコンテナを、後方ストップがデッドストップに突き当たって引き出し位置に達するまで簡単に前方に引き出すことができる。
【００２０】
コンテナを棚システムから取り外すために、ガイド条片がある程度だけ帯状部の頂面から離間するか、及び／又は後方へ後退していて、所定前方位置において、後方ストップがデッドストップの上になるまでコンテナの前面を持ち上げることができれば有利である。この位置において、次にコンテナを前方に引いて、ガイド要素から最終的に取り外すことが可能である。
【００２１】
ストップ部が、少なくとも１つの側壁、好ましくは両方の側壁の、後ろ側に面する領域において、ガイド要素のガイド条片の底面に対して支持する形で当接するように設けられていれば、さらに有利である。コンテナ側の当接部が、ガイド要素側のガイド条片の底面と相互作用することで、コンテナを引き出すときに、コンテナの前面が転倒することが防止される。前方のコンテナの引き出し位置においても、当接部がガイド条片の底面に作用して、転倒に対抗する抗力が与えられるような配置であることが好ましい。コンテナが引き出されるときに当接部と相互作用する領域において、帯状部を強化することも考慮可能である。
【００２２】
当接部は好ましくは、帯状部の延長として、あるいは、そこに一体的に形成される。当接部の頂面は有利には、帯状部より持ち上がっていて、当接部とガイド条片の底面との間に画定された当接面があるようにすることができる。
【００２３】
本発明の更なる実施形態によると、ガイド要素上のデッドストップは、ガイドレールから引き出し方向にある距離を置いて配置される。こうして、ガイドレール上に堆積し得る汚れをデッドストップとガイドレールの間の空隙を通して排出可能である。
【００２４】
デッドストップは次に、その頂面に摺動面を有し、コンテナを引き出し方向に動かすとき、それに沿って帯状部の底面が摺動する。したがって、コンテナの重量は移動時には、最初に後方ストップを介し、その後デッドストップを介して関連するガイド要素に伝達されるので有利である。
【００２５】
コンテナが後退した後方位置にしっかりと留まるようにするために、コンテナの底面に、デッドストップの頂面に対して相補的な受け部を設けて、所定の後部位置においてデッドストップが係合するようにすることも考えられる。コンテナを後退位置から移動させるために、前述したようにコンテナの前面を持ち上げて、コンテナの前方ストップがデッドストップより上に上がるようにすることができる。
【００２６】
後方の後退位置においてデッドストップが留まる受け部は、コンテナの前方ストップで区切られることが考えられる。
【００２７】
上記の問題点もまた、本発明による棚システムのコンテナによって解決される。本コンテナは、コンテナに関して上で述べたすべての特徴を有することができる。この種のコンテナは、側壁にガイド条片を係合するための凹部を有し、また前方ストップ及び後方ストップが関連する凹部より低く配置されることを特に特徴とする。さらに、後方ストップはまた、その底面に摺動面を有することができ、コンテナが移動するときにガイド要素のガイドレール上を摺動する。本コンテナの更なる有利な実施形態は、具体的にはコンテナに関する特許請求の範囲からも生じる。
【００２８】
本発明の更なる詳細及び有利な実施形態は、以下の説明に見ることができる。それに基づいて、本発明の一実施形態がより詳細に記述及び説明される。
【図面の簡単な説明】
【００２９】
【図１】コンテナとガイド要素を有する、本発明による棚システムの斜視図である。
【図２】図１の棚システムの正面図である。
【図３】図１及び図２による棚システムのガイド要素の詳細図である。
【図４】図１及び図２による棚システムのコンテナの斜視図である。
【図５】図４によるコンテナの側面図である。
【図６】図２の線ＶＩに沿う断面図であり、ここではコンテナが後退した、後方位置にある。
【図７】図２の線ＶＩＩに沿う断面図であり、ここではコンテナが前方の、伸長位置にある。
【発明を実施するための形態】
【００３０】
図に示す棚システムは、ケース、箱などとして設計され得る、模式的に表示されたコンテナ１０を備える。このコンテナは特に、道具や機械の輸送用に提供され得る。
【００３１】
コンテナ１０は、前面１２、後面１４、底面１６、頂面１８及び２つの対向する側壁２０を有する。この棚システムはさらに、コンテナ１０の側部に配置された２つのガイド要素２２を備える。後で更に説明するように、コンテナ１０はガイド要素２２に沿って、図６に示すような後方の後退位置から、図７に示すような前方の伸長位置へ移動可能である。
【００３２】
コンテナ１０が図６に示す後方位置に確実に留まるために、２つの前方ストップ２４がコンテナ１０の底面１６の側壁２０の領域に設けられる。コンテナ１０が図７に示す前方の伸長位置に確実に留まるために、２つの後方ストップ２６がコンテナ１０の底面１６の、これもまた側壁２０の領域に設けられる。
【００３３】
特に図４及び図５から明らかなように、後面１４に向かって開放された凹部２８がコンテナ１０の各側壁２０に設けられる。特に図６及び図７から明らかなように、ガイド要素２２に設けられたガイド条片３０が凹部２８で係合する。
【００３４】
また図４〜図７から明らかなように、ストップ２４、２６は凹部２８の内部ではなく、その下側に配置され、凹部２８の外の下方向に延在する。
【００３５】
特に図３から明らかなように、ガイド要素２２には側面３２があり、そこにガイド条片３０と、そのガイド条片３０に平行で、寸法ｄだけガイド条片３０の下に配置されて延在するガイドレールとが設けられる。ガイド条片３０は、ガイドレール３４に対して寸法ｃだけ後方へ片寄るようにして配置される。デッドストップ３６もまた側面３２に設けられて、このデッドストップが後退した後方位置において前方ストップ２４と相互作用し、また前方の伸長位置において後方ストップ２６と相互作用する。
【００３６】
また図３から明らかなように、側面３２には固定穴３８も設けられて、これによりガイド要素２２を、例えばフレームへ固定することができる。組み立てた状態では、側面は垂直方向に配置され、そうして関連するガイド条片３０及び関連するガイドレール３４が垂直方向に延在する。これもまた図３から明らかなように、デッドストップ３６が、ガイドレール３４から空隙４０だけ離間して配置される。その結果、ガイドレール３４上に堆積し得る汚れを、デッドストップ３６とガイドレール３４の間の空隙を通って下方向へ排出可能である。
【００３７】
図４〜図７から明らかなように、凹部２８は帯状部４２によって底面を区切られている。帯状部４２はコンテナ１０の引き出し方向に延在する。関連する後方ストップ２６は、帯状部４２から下向きに突出するように配置される。さらに、帯状部の底面４４は、コンテナ１０の底面１６により形成されるベース面４６にはなく、寸法ａだけ上方へ後退している。
【００３８】
図４及び図５から、コンテナ１０には、デッドストップ３６の頂面に相補的になった受け部４８があることが明らかである。図６に示す所定の後方位置において、楔形の断面であるデッドストップ３６の頂面が、受け部４８に係合して、コンテナ１０がこの後方位置に留まるようになっている。受け部４８はその後方を前方ストップ２４によって区切られている。
【００３９】
コンテナ１０が後方へ行き過ぎないようにするために、受け部２８には、挿入方向に直交して延在する停止面５０がある。図６に示す挿入位置において、ガイド条片３０の前方自由端５２が停止面５０に当接するようになる。
【００４０】
図６に示す後方の所定位置から図７に示す前方位置へコンテナ１０を動かすために、コンテナ１０の前面１２を持ち上げて、最初に前方ストップ２４が関連のデッドストップ２６の上に上がるようにしなければならない。このために、ガイド条片３０はこのような持ち上がりが可能となるような程度だけ帯状部３４の上面から離間し、またそのような程度だけ後方へ片寄っている。
【００４１】
前方ストップ２４がデッドストップ３６の上方に持ち上げられると、コンテナ１０は引き出し方向Ａへ動かすことができる。この場合、後方ストップ２６の底面に設けられた摺動面５６がガイド要素２２のガイドレール３４上を摺動する。同時に、帯状部４２の底面４４が、これもまた摺動面５４として設計された、デッドストップの上面を摺動する。コンテナ１０を引き出すときに、コンテナ１０の前面１２の転倒を防止するために、各側壁２０に当接部５８が設けられて、関連するガイド条片３０の底面に支持される。関連する当接部５８は、関連する帯状部４２の延長部として関連する側壁２０の後方端に設けられる。関連する当接部５８の上面は、図５に示すように関連する帯状部４２の上面よりも寸法ｂだけ上にある。
【００４２】
図７に示すように、後方ストップ２６は、所定の前方位置においてデッドストップ３６に当接する。さらに、当接部５８は、そのガイド条片の端部領域５２においてガイド条片３０に当接する。コンテナ１０をガイド要素２２から取り外す、あるいは棚システムから取り外すために、コンテナ１０の前面１２を再度持ち上げて、後方ストップ２６がデッドストップ３６より上に持ち上げられる程度に、図７に示す前方の所定位置から前進させることができる。コンテナ１０の前面１２がその後再び降ろされると、後方ストップ２６がデッドストップ３６の楔形頂面を前方かつ下方向に摺動する。同時に、当接部５８がガイド条片４２の自由端５２の有効範囲の外へ移動し、コンテナ１０は最終的に手動で簡単に取り外すことができる。
【００４３】
次にコンテナ１０を棚システムに再挿入する場合、後方に開放された凹部２８を有する後面１４をガイド要素２２に配置して、ガイド条片３０の自由端５２が凹部２８内に入るようにする。それに応じてコンテナ１０を後方へ押すことにより、後方ストップ２６が先ずデッドストップ２６の楔形頂面上を摺動する。そうして、コンテナ１０が引き出し方向Ａの逆方向に更に移動し、前方ストップ２４もまた摺動して、最終的にデッドストップ３６が受け部４８内に停止する。
【図１】
2021523759.tif 000003
【図２】
2021523759.tif 000004
【図３】
2021523759.tif 000005
【図４】
2021523759.tif 000006
【図５】
2021523759.tif 000007
【図６】
2021523759.tif 000008
【図７】
2021523759.tif 000009
【国際調査報告】
2021523759.tif 000010
2021523759.tif 000011
2021523759.tif 000012
2021523759.tif 000013